(57)【要約】      （修正有）【課題】堤防敷幅が大きな堤体内にも深く挿入することができ、排水効果が向上するばかりでなく、先行堀りを不要にして周辺の土が乱れによる水みちの発生を抑制することができる回転圧入排水管装置を提供する。【解決手段】堤防又は道路など盛土の土中の浸透水を排水する機能を備えた回転圧入排水管装置１において、その外周面に複数の集水孔３３が開孔されると共に螺旋羽根３が形成された頭部有孔管４と、頭部有孔管４に回転圧入シャフト７を挿入して回転圧入シャフト７の圧入力で推進を補助しながら接続された後続の第１の排水本体パイプと第２の排水本体パイプから構成し、頭部有孔管４を回転させながら土中を推進させると共に、後続の第１の排水本体パイプと第２の排水本体パイプを牽引する。【選択図】図１
2019199695.tif 000002
【特許請求の範囲】
【請求項１】
堤防又は道路などの盛土の土中の浸透水を排水する機能を備えた回転圧入排水管装置において、その先端部の先頭ロッドとの貫通孔と外周面に複数の集水孔が開孔されると共に、螺旋羽根が形成された頭部有孔管に第１の排水本体パイプ及び第２の排水本体パイプを繋いで、回転圧入シャフトを挿入して接続された頭部有孔管を回転させながら土中を推進させると共に、後続の前記第１の排水本体パイプ及び第２の排水本体パイプを牽引するようにしたことを特徴とする回転圧入排水管装置。
【請求項２】
頭部有孔管の先頭ロッドに回転圧入シャフトのカプラーを嵌装し、当該回転圧入シャフトの回転力を先頭ロッド及び頭部有孔管に伝達させて回転させながら、後続の第１の排水本体パイプの回転を遮断するように第１の排水本体パイプ内部にスラストベアリングを装着したことを特徴とする請求項１記載の回転圧入排水管装置。
【請求項３】
回転圧入シャフトには、その後部にスラストベアリング面を当接させるフランジが形成され、スラストベアリング対面部分により後続の第１の排水本体パイプに融着接合された異形パイプ内部面にも当接されていて、後続の第１の排水本体パイプに回転圧入シャフトの牽引力と圧入力は伝達されるが、回転力はベアリング効果により遮断されることを特徴とする請求項１又は請求項２記載の回転圧入排水管装置。
【請求項４】
後続の第２の排水本体パイプの両端には、それぞれ外ネジ及び内ネジが形成されていて、牽引挿入時の引張力と同等程度の剛性を有すると共に、逆ネジで接続されていることを特徴とする請求項１乃至請求項３のいずれかに記載の回転圧入排水管装置。
【請求項５】
回転圧入シャフトの挿入完了後、当該回転圧入シャフトの抜き取りに際して、螺旋羽根が当該回転圧入シャフトと先頭ロッドと頭部有孔管及び後続の第１の排水本体パイプ及び第２の排水本体パイプの間隙に働く摩擦抵抗による回転圧入排水管装置の移動を不動に規制可能な引抜抵抗力を有することを特徴とする請求項１乃至請求項４のいずれかに記載の回転圧入排水管装置。
【請求項６】
先端ロッド及び頭部有孔管はステンレス製であり、また、後続の第１の排水本体パイプ及び第２の排水本体パイプはポリエチレン製又は鋼管であることを徴とする請求項１乃至請求項５のいずれかに記載の回転圧入排水管装置。
【請求項７】
回転圧入排水管装置は、集水孔から流入する土粒子等をフィルタリングする透水濾過材が嵌装されていて当該透水濾過材には交換用の抜取用取手が装着されていることを特徴とする請求項１乃至請求項６のいずれかに記載の回転圧入排水管装置。
【発明の詳細な説明】
【技術分野】
【０００１】
本発明は、河川、海岸、道路、造成地等の法面を形成する土中に含有される浸透水を法面外に排水する回転圧入排水管装置に関する。
【背景技術】
【０００２】
河川、海岸、道路、造成地等には、切土や盛土により法面（土羽ともいう）が設けられている。従来から、集中豪雨・長雨等による河川水位の上昇、高潮・津波による潮位の上昇などで、法面が形成された築堤、道路盛土の土中内に雨水が浸透して滞留し、築堤の決壊、道路盛土の崩壊が発生することを防止するために、法面から土中内部に向けて、側面に集水孔を有する排水管を打ち込み、土中内に浸透した水をこの排水管から法面外に排出する技術が知られている。
また、道路造成地などの盛土状に形成された法面や擁壁においても、同様の理由により、法面の土中内部、擁壁の土中内部に向けて、側面に透水孔を有する排水管が打ち込まれている。
【０００３】
例えば、特許文献１には、鋼製の管本体の外周に螺旋羽根と地盤内の水分を排出するために水抜き孔を設けた羽根付き有孔鋼管を用いた地盤補強工法が記載されており、排水機能と地盤拘束機能を有する有孔網管の施工条件を、粘土土、砂質土、礫混り土、それらの複合体などのような土質の土で施工された人工地盤や自然地盤であっても確実に施工できるとされている。
【０００４】
特許文献２には、地すべり工法において、先ずケーシングパイプを挿入しながら予定深度までボーリングし、該ケーシングパイプを予定深度まで挿入したら、インナーロッドを抜き取り、次いで、前記ケーシングパイプの内部には全長に渡って、多数の水抜き孔が周設され先端が円錐状に閉塞された集水パイプ本体を挿入する集水工法が記載され、集水パイプ本体が安定した状態で地山に埋設され、前記水抜き孔より集水された地下水が集水パイプ本体の吐出口から排水され、地すべりを防止することが記載されている。また、集水パイプの外周面にスポンジからなる抵抗体を螺旋状に接着して、ケーシングパイプの内壁面に密着させながら挿入し、その後、ケーシングパイプを抵抗体の螺旋方向と逆方向に回転させながら抜管することが記載されている。
【０００５】
特許文献３には、擁壁や水路壁等の既設構造物の壁に削孔した貫通孔を介して裏込め土内に打ち込まれるガイド管と、外管と、前記外管内に全体が収容される本体管とを備え、前記ガイド管が、基端が開放し、先端が円錐状又は多角錐状の管状部材で形成され、前記外管が、開放した基端にフランジが設けられ、先端が閉鎖した管状部材によって形成された集水管と、両端が開放し、前記集水管の前記基端に対向する先端に設けられたフランジを前記集水管のフランジに当接させ締結具で締結することによって前記集水管に連結される壁内管とを有し、前記集水管が前記ガイド管内に収容されており、前記本体管が、基端が開放し、先端が閉鎖した管状部材で形成され、前記ガイド管、前記外管の前記集水管、および前記本体管うち前記集水管の内側に位置する前半部に、水抜き用の複数の開口部がそれぞれ設けられているウィープホールが記載され、ガイド管を用いることにより、裏込め土が崩れたりすることなしに、既設構造物に容易にウィープホールを設置することができ、また、目詰まりを起こした場合には、本体管を交換したり、洗浄することにより、ウィープホールの機能を良好に維持することができる二重管式のウィープホール装置が記載されている。
【０００６】
特許文献４には、側面に複数の水抜き用小孔が設けられた水抜き用鞘管内に挿入した削孔ロッドの削孔用ビットを回転させて地山を削孔した後、上記削孔ロッドを上記鞘管から引き抜いて回収し、地山の水を上記水抜き用鞘管から排水する際に、上記水抜き用鞘管の外周側に、流砂防止用のストッパー部材を取付けるとともに、削孔ロッドの回収後に、上記水抜き用鞘管の内部に濾過部材を挿入して、上記水抜き用鞘管内への土砂の流出を防止するようにしたので、これにより、削孔と水抜き用鞘管との隙間から砂の流出を防止することができるとともに、水抜き用鞘管内へ流砂の侵入を有効に防ぐことができるので、流砂現象の発生を確実に防止することができ、地山の水抜きを効率的に行うことができることができる地山の水抜き工法が記載されている。
【０００７】
特許文献５には、鋼管からなる杭本体と、杭本体の先端又は周面に螺旋状に設けられた螺旋状羽根と、杭本体の周面に設けられ、杭本体が地盤面に接触して又は地中に配置されて螺旋状羽根との間の地盤に圧縮力を生じさせる支圧部とを備え、杭本体は周面に複数の貫通孔が設けられ、貫通孔は、地盤からの水を杭本体内部に通過させ、杭本体は、杭本体内部からの地盤外部に水を排出するようにされた地すべり防止杭が開示されている。
【先行技術文献】
【特許文献】
【０００８】
【特許文献１】特開２０１６−５６５０５号公報
【特許文献２】特開平１０−０３７１７４号公報
【特許文献３】特開２０１２−２３３３６７号公報
【特許文献４】特開２００３−２９３３７７号公報
【特許文献５】特許第５５９５１３７号公報
【発明の概要】
【発明が解決しようとする課題】
【０００９】
しかしながら、既設盛土を対象とする場合は堤防敷幅が大きくなると堤体内に深く挿入できる排水管装置がなかった。また、従来は先行堀りをして挿入していたが、先行堀りをすると周辺の土が乱れて水みちができるという課題があった。
本発明は上記従来の課題に鑑み、堤防敷幅が大きな堤体内にも深く挿入することができ、排水効果が向上するばかりでなく、先行堀りを不要にして周辺の土が乱れによる水みちの発生を抑制することができる回転圧入排水管装置を提供することを目的とする。
【課題を解決するための手段】
【００１０】
上記の目的を達成するため、本発明の回転圧入排水管装置は、堤防又は道路盛土などの土中の浸透水を排水する機能を備えた回転圧入排水管装置において、その先端部の先頭ロッドの貫通孔と外周面に複数の集水孔が開孔されると共に、螺旋羽根が形成された頭部有孔管に第１の排水本体パイプ及び第２の排水本体パイプを繋いで、回転圧入シャフトを挿入して接続された頭部有孔管を回転させながら土中を推進させると共に、後続の前記第１の排水本体パイプ及び第２の排水本体パイプを牽引するようにしたことを第１の特徴とする。
【００１１】
また、本発明の回転圧入排水管装置は、頭部有孔管の先頭ロッドに回転圧入シャフトのカプラーを嵌装し、当該回転圧入シャフトの回転力を先頭ロッド及び頭部有孔管に伝達させて回転させながら、後続の第１の排水本体パイプの回転を遮断するように第１の排水本体パイプ内にスラストベアリングを装着したことを第２の特徴とする。
【００１２】
また、回転圧入排水管装置に挿入される回転圧入シャフトには、その後部にスラストベアリング面を当接させるフランジが形成され、スラストベアリング対面部分には後続の第１の排水本体パイプに融着接合された異形パイプ内部面にも当接されていて、後続の第１の排水本体パイプの異形パイプフランジ面に回転圧入シャフトの牽引力と圧入力は伝達されるが、回転力はベアリング効果により遮断されることを第３の特徴とする。
【００１３】
また、後続の第２の排水本体パイプの両端には、それぞれ外ネジ及び内ネジが形成されていて、牽引挿入時の引張力と同等程度の剛性を有すると共に、逆ネジで接続されていることを第４の特徴とする。
【００１４】
また、回転圧入シャフトの挿入完了後、当該回転圧入シャフトの抜き取りに際して、螺旋羽根が当該回転圧入シャフトと先頭ロッドと頭部有孔管及び後続の第１の排水本体パイプ及び第２の排水本体パイプの間隙に働く摩擦抵抗による回転圧入排水管装置の移動を不動に規制可能な引抜抵抗力を有することを第５の特徴とする。
【００１５】
また、先端ロッド及び頭部有孔管はステンレス製であり、また、後続の第１の排水本体パイプ及び第２の排水本体パイプはポリエチレン製又は鋼管であることを第６の特徴とする。
【００１６】
また、回転圧入排水管装置は、集水孔から流入する土粒子等をフィルタリングする透水濾過材が嵌装されていて当該透水濾過材には交換用の抜取用取手が装着されていることを第７の特徴とする。
【発明の効果】
【００１７】
本発明によれば以下の優れた効果を奏する。
（１）頭部有孔管と排水本体パイプと、これらの中に挿入される先端ロッドを備えた回転圧入シャフトの二重構造にすることで、より深く堤体内に進入させることができ排水効果が向上する。
（２）先行堀りが不要となり、周辺の土が乱れることによる水みちの発生を抑制する。
（３）とくに、盛土で築堤された堤防及び道路、盛土された造成地では経年の沈下に追随して排水本体パイプが撓み、直下に空洞が発生しない。
（４）頭部有孔管に接合された螺旋羽根の高さまで、土中の水を滞留させて集水孔に導く効果がある。
【図面の簡単な説明】
【００１８】
【図１】本発明に係る回転圧入排水管装置の一実施例を示す（ａ）は回転圧入シャフトの側面図、（ｂ）は（ａ）のＡ−Ａ線断面図、（ｃ）は本体管を示す側面図、（ｄ）は（ｃ）のＢ−Ｂ線断面図、（ｅ）は先頭ロッドとこれに繋がる頭部有孔管を示す側面図、（ｆ）は（ｅ）のＣ−Ｃ線断面図である。
【図２】本発明に係る回転圧入排水管装置のエンドキャップの（ａ）は側面図、（ｂ）は（ａ）の右側面図、（ｃ）は使用状態を示す側面図である。
【図３】本発明に係る（ａ）はシャフトの接続状態を示す側面図、（ｂ）は頭部有孔管と第１の排水管本体パイプに回転圧入シャフトを挿入した状態を示す側面図、（ｃ）は第１の排水本体パイプと第２の排水本体パイプの接続構造を示す側面図、（ｄ）は（ｃ）のＤ−Ｄ線断面図である。
【図４】本発明に係る（ａ）は接続シャフトの側面図、（ｂ）は（ａ）のＥ−Ｅ線断面図、（ｃ）は（ａ）のＦ−Ｆ線断面図である。
【図５】本発明に係る頭部有孔管と第１の排水本体パイプの接続状態を示す要部側面断面図である。
【図６】本発明に係る補強キャップを示す（ａ）は側面図、（ｂ）は（ａ）のＧ−Ｇ線断面図、（ｃ）は（ａ）のＨ−Ｈ線断面図である。
【図７】透水濾過材を示す（ａ）は側面図、（ｂ）は（ａ）のＩ−Ｉ断面図、（ｃ）は（ａ）のＪ−Ｊ断面図、（ｄ）は（ａ）のＫ−Ｋ断面図である。
【図８】（ａ）は網状フィルター同士の連結状態を示す要部側面図、（ｂ）は網状フィルターの端末部の斜視図、（ｃ）はエンドキャップ部の側面断面図である。
【発明を実施するための形態】
【００１９】
以下、好適な実施の形態を用いて本発明をさらに具体的に説明する。但し、下記の実施の形態は本発明を具現化した例に過ぎず、本発明はこれに限定されるものではない。
【実施例】
【００２０】
［回転圧入排水管の概要］
回転圧入排水管装置１は、螺旋羽根３付の頭部有孔管４を組み込むタイプと組み込まないタイプの使い分けが可能な装置であり、比較的大規模の堤防で、その堤防敷幅が大きい場合と、比較的小規模な堤防で、その堤防敷幅が小さい堤防に対応するように開発された。その違いは、大規模堤防に対応する回転圧入排水管装置１には、先頭ロッド２の後部に螺旋羽根３が接合された頭部有孔管４をねじ込み接続させて、その後方に第１の排水本体パイプＡ５を挿入し、さらにその後方に第２の排水本体パイプＢ６をねじ込む方法と、比較的小規模な堤防では、先頭ロッド２に螺旋羽根３が接合された頭部有孔管４をねじ込むことなく、その後方に差し込み可能な第１の排水本体パイプＡ５を挿入し、さらにその後方に第２の排水本体パイプＢ６をねじ込む方法である。
【００２１】
前者は比較的長い距離を回転圧入するもので、差し込み可能な第１の排水本体パイプＡ５を挿入し、さらに、第２の排水本体パイプＢ６をねじ込み繋ぎながら頭部有孔管４を回転させ、接合された螺旋羽根３の推進力と、回転圧入シャフト７の押圧力で長い距離を挿入させる。一方、後者は比較的短い距離を挿入するもので、先頭ロッド２に差し込み可能な第１の排水本体パイプＡ５を挿入し、さらに、その後方に第２の排水本体パイプＢ６をねじ込み繋いで、同様に回転させながら土の周面摩擦を遮断しながら回転圧入シャフト７の押圧力で挿入させる、これらはいずれも施工ごとに必要本数を繋いで回転挿入する。
【００２２】
すなわち、螺旋羽根３付の頭部有孔管４を組入れることなく、先頭ロッド２の後部に補強キャップ２４が被嵌された第１の排水本体パイプＡ５を差込み、後方に接続可能な第２の排水本体パイプＢ６を接続する方法と、比較的大規模な堤防の堤防敷に挿入する回転圧入排水管装置１には、先頭ロッド２の後部に螺旋羽根３付きの頭部有孔管４をねじ込み接続させて、その後方に挿入可能な第１の排水本体パイプＡ５を接続する方法である。
前者は比較的短尺な回転圧入排水管装置１を回転させることにより、管周面の摩擦力を遮断しながら圧入する工法であり、後者は比較的長尺な回転圧入排水管装置１を回転させることで、螺旋羽根３に推進力が付与されて、尚且つ、この推進力でもって圧入による挿入力が緩和される。回転する部分は、前者では先頭ロッド２のみが回転し、後者では先頭ロッド２及び螺旋羽根３付き頭部有孔管４が回転するだけで、いずれも後続の第１の排水本体パイプＡ５及び第２の排水本体パイプＢ６は回転せずに牽引されて土中内に配置される。
【００２３】
［回転圧入シャフトの概要］
回転圧入排水管装置１の回転と圧入は、回転挿入機械（図示せず）で回転圧入シャフト７を回転させながら機械を前進させ回転挿入する。回転圧入シャフト７の構成は、先端シャフト８と、多角形状カプラー９と、先頭シャフト１０及び接続シャフト１１をねじ込んで繋ぎ構成されている。
回転圧入排水管装置１に回転力を伝えるには、同シャフト先端部分に接続された多角形状カプラー９を先頭ロッド２内の多角形内溝１３に嵌装し、同シャフトを回転挿入機械で回転させることにより回転力を伝える。また、挿入は回転圧入機構の前進ストロークの押圧により挿入させていく。
すなわち、前述したように、頭部有孔管４が回転することにより、接合された螺旋羽根３が土中内で推進力を与え、回転圧入排水管装置１内に装填された回転圧入シャフト７後部のフランジ１４部分で押圧されながら挿入されて、フランジ１４部分が第１の本体排水パイプＡ５に融着接合された内部の異形パイプフランジ面１６に引っ掛かり牽引される。
【００２４】
また、回転力が第１の本体排水パイプＡ５及び第２の本体排水パイプＢ６に伝達されないように、第一の本体排水パイプＡ５前方に溶着された異形パイプ１５の異形パイプフランジ面１６と回転圧入シャフト７後部のフランジ面１７の間にスラストベアリング１８が組み込まれていて、ベアリング効果により回転力を遮断され、第１の本体排水パイプＡ５及び後続の第２の本体排水パイプＢ６は回転することなく牽引される。
尚、接続シャフト１１は第２の排水本体パイプＢ６と同様に施工ごとに必要本数を繋いで回転と押圧をシャフトに与える。
【００２５】
［回転圧入シャフトの組立てについて説明する］
先端ロッド１２は尖塔状部１９を形成した先端シャフト８からなり、後部に多角形状カプラー９をねじ込み、その後方にフランジ１４が設けられた回転圧入シャフト７をねじ込んで繋ぐ。さらに、その後方に施工ごとに必要な本数の接続シャフト１１をねじ込んで繋ぐ。尖塔状部１９を有した先端シャフト８の後部には雄ネジ２０が刻設され、フランジ１４を有した先頭シャフト１０の後方部にはフランジ１４の無い接続シャフト１１がねじ込まれるように内ネジ２１が刻設されている。
【００２６】
後続の接続シャフト１１の両端には夫々外ネジ２２と内ネジ２１が設けられていて接続可能となっている。さらに、接続シャフト１１の後端部分には、締結解放治具（図示せず）が噛み合わせ可能なように円形棒状のシャフト周面の一部を平坦面２３状に削り出している。ここでは、四面を施しているが、六面または多角面でもよい。
【００２７】
［回転圧入排水管装置の組み立てについて説明する］
前述したように、回転圧入排水管装置１には２種類の組み立て方法があり、先頭ロッド２の後部に螺旋羽根３が接合された頭部有孔管４をねじ込み接続した長尺タイプと、先頭ロッド２の後部に直接差し込み可能な第１の排水本体パイプＡ５を挿入した短尺タイプの２種類である。ここでは、第１の排水本体パイプＡ５と第２の排水本体パイプＢ６のねじ込み接続方法が同じであるため、便宜上、排水本体パイプの説明は長尺タイプで行う。
【００２８】
長尺タイプの回転圧入排水管装置１における先頭ロッド２側からの接続方法について説明を行う。
先ず、先頭ロッド２後部の内ネジ２１部に螺旋羽根３が接合された頭部有孔管４の外ネジ２２部分をねじ込み接続させる。
次いで、第１の排水本体パイプＡ５の先端部分に被冠してある補強キャップ２４の細まったソケット２５を頭部有孔管４後部に差し込み、第２の排水本体パイプＢ６を繋ぐ。
【００２９】
前記の説明を踏まえて、回転圧入排水管装置１内への回転圧入シャフト７の挿入と、その施工方法について実施の形態を具体的に説明する。施工ごとに接続された回転圧入排水管装置１内に、同じく施工毎に接続された回転圧入シャフト７を装填させる。その際、第１の排水本体パイプＡ５の先端内部にスラストベアリング１８を嵌装させておき、回転圧入シャフト７後部のフランジ面１７がスラストベアリングに当接したことを確認すると共に、先頭ロッド２内の多角形状溝１３に多角形状カプラー９が嵌装されて、尚且つ、先頭ロッド２の先端部分に先頭シャフト１０の尖塔部１９が突出していることを確認する。また、接続シャフト１１の後部の平坦面２３が第２の排水本体パイプＢ６から突出していることも確認する。
【００３０】
次いで、回転圧入排水管装置１に装填された接続シャフト１１の後部を回転圧入機械（図示せず）の回転ドラム（図示せず）内に挿入する。挿入された接続シャフト１１の後部は、回転ドラム内のチャック（図示せず）で保持される。
その後、回転圧入機械を始動させて回転圧入シャフト７を回転させ、排水管装置１を回転させながら機械を前進させ挿入する。当初の回転圧入排水管装置１の長さ分の挿入距離に到達し、回転圧入機械の前進能力が停止すると、回転ドラム内のチャックを解放させて必要本数の第２の排水本体パイプＢ６並びに接続シャフト１１を繋いで同様に機械を再始動して回転圧入させる。この作業を必要長さ分反復して行う。
【００３１】
回転圧入排水管装置１が必要長さ分完全に挿入されたら、当該機械の移動能力範囲で後退させながら回転圧入シャフト７を抜き取っていく。接続シャフト１１の切離は、回転挿入動作時に強力な力で接続部分のネジが締め付けられているので、解放治具（図示せず）で掴めるように棒状の接続シャフト１１後方部分を平坦面２３に切削されている。ここでは、便宜上、解放用治具が掴み易いように四面にしているが、多面形状でもよい。また、螺旋羽根３は、先頭ロッド２の貫通孔２６及び多角形内溝１３と多角形状カプラー９の空間が狭小なため、引き抜く際に摩擦力が発生して引き抜きよる移動を防止する作用も発揮する。
【００３２】
挿入完了後の回転圧入排水管装置１の内部には透水濾過材２７が装填される。透水濾過材２７は、先頭ロッド２及び頭部有孔管４、排水本体パイプＡ５及び排水本体パイプＢ６の開孔された集水孔３３から周辺土が水と一緒になって吸い出されないようにするフィルター材であり、第２の排水本体パイプＢ６末端の開口から挿入される。また、透水濾過材２７は経年劣化による損傷、目詰まり等が発生し、集水流水機能が著しく低下した場合には交換可能なカートリッジタイプとされている。また、透水濾過材２７は予め頭部有孔管４内に張設されたものと、末端の第２の排水本体パイプＢ６の後から装填される二種類から構成されている。
【００３３】
透水濾過材２７の装填完了後には、第２の排水本体パイプＢ６の末端にエンドキャップ２８が嵌装される。エンドキャップ２８の正面下方部分には、集水された水を排出するための排水口３６が設けられていて、排水管又はパイプ内の水を排出する。また、エンドキャップ２８は、小動物の浸入防止の機能も兼ねる。
【００３４】
次に、回転圧入排水管装置１を構成する各部品につて説明する。
図１（ａ）は回転圧入シャフト７を示すものであり、先端シャフト８には雄ネジ２０が刻設され、また先頭シャフト１０の先端部分にも雄ネジ２０が刻設されていて、多角形状カプラー９を介してねじ込み接続されている。先端シャフト８の先端は尖塔状１９に形成され、先頭シャフト１０の後部にはフランジ１４が形成されていて、その後方部には接続シャフト１１をねじ込み繋ぐことができるように内ネジ２１が刻設されている。また、先頭シャフト１０は長尺タイプと短尺タイプを適宜選択してその長さＬ３０を変化させる。
【００３５】
図１（ｂ）は回転圧入シャフトの多角形状カプラー９の断面図であり、中央には内ネジ２１が刻設されていて、先端シャフト８と先頭シャフト１０をねじ込む。本実施例では六角形としている。
【００３６】
図１（ｃ）は回転圧入排水管装置１の全体構成を示すものであり、回転圧入シャフト７が装填されていて、先頭ロッド２の内部には先端シャフト８の貫通孔２６及び多角形状カプラー９が嵌装される多角形内溝１３が設けられている。さらに、先端部分の傾斜面３１にはコンポジット盛り３２が施されていて、硬い土の部分をある程度解すようになっている。
【００３７】
先端シャフト８の挿入及び多角形状カプラー９を嵌め込む。また、多角形内溝１３の後方は頭部有孔管４をねじ込み繋げられるように、内ネジ２１が刻設されている。頭部有孔管４の側周面には土中の水が流入するように、集水孔３３が設けられていて、さらに、外周面に螺旋羽根３が接合されていて、土中の水を羽根の高さまで溜め置くことができる。すなわち、頭部有孔管４に接合された螺旋羽根３の高さまで、土中の水を滞留させて集水孔３３に導く効果がある。さらに、頭部有孔管４の内面には土中の水が土粒子と一緒に流入しないように、吸出し防止の筒状フィルター２７ａの張設も可能である。
【００３８】
第１の排水本体パイプＡ５の先頭部分は補強キャップ２４の先端部分の小径のソケット２５を頭部有孔管４の後部に差し込む。第１の排水本体パイプＡ５の先頭部分は異形パイプ１５が溶着されていて、異形パイプ１５内面の異形パイプフランジ面１６部分にスラストベアリング１８面が当接された状態で組み込まれている。第１の本体排水パイプＡ５と第２の排水本体パイプＢ６の側周面には頭部有孔管４と同様に集水孔３３が設けられていて、端末部分には後続の第２の排水本体パイプＢ６がねじ込み接続可能な内ネジ２１が設けられている。第２の排水本体パイプＢ６にも両端に接続可能な内ネジ２１及び外ネジ２２が設けられている。
【００３９】
図１（ｄ）は第１の排水本体パイプＡ５の断面図であり、内部に接続シャフト１１が装填されている。その狭小な間隙部分は通水路２９で、第１の排水本体パイプＡ５に開設された複数の集水孔３３と連通する。
図１（ｅ）は先頭ロッド２と頭部有孔管４の側面図であり、貫通孔２６からも集水が可能である。傾斜部３１にはコンポジット盛３２が施されていて、硬い地層を解して推進する。また、頭部有孔管４の先端部分には外ネジ２２が設けられている。側周面には螺旋羽根３が接合されていて、螺旋羽根３の間隔内に複数の集水孔３３が開設されている。図１（ｆ）は先頭ロッド２の多角形内溝１３を表すものであり、六角断面としているが、多角形状でもよい。
【００４０】
図２（ａ）はエンドキャップ２８であり、第２の排水本体パイプＢ６の末端にエンドキャップ２８本体を嵌装又は螺合して装着する。エンドキャップ２８本体は、ソケット３４と蓋体３５に分割されていて、第２の排水本体パイプＢ６の末端部分に外ネジ２２が設けられていれば螺合して装着し、なければ嵌装する。また、蓋体３５についてはソケット部３４に螺合する。図２（ｂ）は蓋体３５の正面図であり、下方に排水口３６が設けられていて、その上方には脱着用の取っ手３７が取り付けられている。図２（ｃ）は堤防法面Ｓに突出された第２の排水本体パイプＢ６の末端にエンドキャップ２８を取り付けた側面図であり、排水口３６から排水Ｗしている状態を示す。その際、末端の第２の排水本体パイプＢ６の後部からエンドキャップ２８の間には集水孔３３の無い区間ｄを設けることで、堤防法面Ｓの表面部分に流水して崩落することを防止するようにされている。
【００４１】
図３（ａ）は回転圧入シャフト７の先頭シャフト１０に繋がれた接続シャフト１１であり、後方部分には前述の締付解放治具が噛み合わせ可能なように円形棒状シャフトを平坦面２３に切削している。ここでは、四面に切削しているが六角または多角形でもよい。また、その後方にも接続シャフト１１が螺合して繋がれている。図３（ｂ）は頭部有孔管４に第１の排水本体パイプＡ５の補強キャップ２４のソケット部２５が差し込まれていて、パイプの内部には回転圧入シャフト７が挿入されている。第１の排水本体パイプＡ５の末端からシャフトの締付解放治具が噛合する平坦面２３が突出し、さらに、接続位置が飛び出しており、第１の排水本体パイプＡ５の接続位置がずらされていて、締付解放治具で掴み易く、また、接続し易い構成にされている。図３（ｃ）は第１の排水本体パイプＡ５と第２の排水本体パイプＢ６の接続要領であり、第１の排水本体パイプＡ５の内ネジ２１に第２の排水本体パイプＢ６の外ネジ２２をねじ込み繋ぐように構成されている。図３（ｄ）に示すように、補強キャップ２４が被冠された異形パイプ１５内にはスラストベアリング１８が嵌装されている。
【００４２】
図４（ａ）は接続シャフト１１の側面図であり、先端部に接続用の外ネジ２２が刻設されていて、後方部には締付解放治具（図示せず）が把持可能な平坦面２３及び、その後方に接続用の内ネジ２１が刻設されている。図４（ｂ）は締付解放治具の掴み部の断面図で、本実施例では四面としているが多面でもよい。図４（ｃ）は内ネジ２１部分の断面図である。
【００４３】
図５は頭部有孔管４に第１の排水本体パイプＡ５が差し込まれた詳細を示すものであり、第１の排水本体パイプＡ５及び頭部有孔管４内部に回転圧入シャフト７が装填され、頭部有孔管４の後端に第１の排水本体パイプＡ５の先端に溶着された異形パイプ１５に被冠された補強キャップ２４の細いソケット２５部分が差し込まれていて、異形パイプ１５内部にはスラストベアリング１８が、異形パイプ１５側の異形パイプフランジ面１６と回転圧入シャフト側のフランジ面１７の間に挟持されている。また、頭部有孔管４と補強キャップ２４の間には若干の隙間が空くが、この箇所には摩擦抵抗を減少させるために生分解性グリース３８を塗布しておく。
【００４４】
図６（ａ）は補強キャップ２４の側面図であり、ソケットの細い径部分２５は頭部有孔管４に差し込まれ、太い径部分２４は異形パイプ１５に被冠される。図６（ｂ）はソケットの細い径部分２５の断面図、図６（ｃ）は太い径部分２４の断面図である、
【００４５】
透水濾過材２７について説明する。
図７（ａ）に示すように、透水濾過材２７は、大きく分けて筒状フィルター２７ａと棒状フィルター２７ｂと網状フィルター２７ｄとから構成されている。網状フィルター２７ｄは第１の排水本体パイプＡ５及び第２の排水本体パイプＢ６の全長に渡って収納され、球状の先端部２７ｈを有する棒状フィルター２７ｂと後端のフィルタフランジ２７ｃが一体的に形成されていて、フィルタフランジ２７ｃは第１の排水本体パイプＡ５に収納された網状フィルター２７ｄに溶着されている。尚、頭部有孔管４内と棒状フィルター２７ｂの外径には狭小の隙間が空くので、予め筒状フィルター２７ａを収納することも考えられる。
【００４６】
図８（ａ）に示すように、網状フィルター２７ｄ同士は連結ピン２７ｉで連結して延長可能にされており、図８（ｂ）及び（ｃ）に示すように、網状フィルター２７ｄの後端部分には網無パイプ部２７ｅが形成され、抜取り用取手２７ｆが設けられている。尚、網無パイプ部２７ｅの後端面には網体２７ｇが張設されていて、エンドキャップ２８の排水口３６から濾過された水Ｗを排出するようにされている。
【符号の説明】
【００４７】
１    回転圧入排水管装置
２    先頭ロッド
３    螺旋羽根
４    頭部有孔管
５    第１の排水本体パイプＡ
６    第２の排水本体パイプＢ
７    回転圧入シャフト
８    先端シャフト
９    多角形状カプラー
１０  先頭シャフト
１１  接続シャフト
１２  先端ロッド
１３  多角形状内溝
１４  フランジ
１５  異形パイプ
１６  異形パイプフランジ面
１７  フランジ面
１８  スラストベアリング
１９  尖塔状部
２０  雄ネジ
２１  内ネジ
２２  外ネジ
２３  平坦面
２４  補強キャップ
２５  ソケット
２６  先頭ロッドの貫通孔
２７  透水濾過材
２７ａ筒状フィルター
２７ｂ棒状フィルター
２７ｃフィルタフランジ
２７ｄ網状フィルター
２７ｅ網無パイプ部
２７ｆ抜取り用取手
２７ｇ網体
２７ｈ棒状フィルターの先端部
２７ｉ網状フィルターの連結ピン
２８  エンドキャップ
２９  通水路
３０  先頭シャフトの長さＬ
３１  先頭ロッドの傾斜面
３２  傾斜面のコンポジット盛り
３３  集水孔
３４  ソケット
３５  ソケットの蓋体
３６  蓋体の排水口
３７  蓋体の取っ手
３８  生分解性グリース
Ｗ   排水
Ｓ   盛土法面
ｄ  集水孔無し区間
【図１】
2019199695.tif 000003
【図２】
2019199695.tif 000004
【図３】
2019199695.tif 000005
【図４】
2019199695.tif 000006
【図５】
2019199695.tif 000007
【図６】
2019199695.tif 000008
【図７】
2019199695.tif 000009
【図８】
2019199695.tif 000010